(57)【要約】【課題】同一チャネルを利用するＡＰの高密度環境において、各ＡＰがＭＵ伝送の制御に用いる制御フレームの衝突を防ぎ、通信効率を高める。【解決手段】１つ無線ＬＡＮ基地局とそれに帰属する複数の無線ＬＡＮ端末から構成されるＢＳＳを単位として、同一チャネルを利用する複数のＢＳＳがそれぞれアップリンクのマルチユーザ伝送を行う無線ＬＡＮシステムにおいて、複数のＢＳＳの無線ＬＡＮ基地局および無線ＬＡＮ端末に接続され、それぞれの電波の干渉状態を示す無線情報を収集し、その無線情報を応じて、同一チャネルを利用するＢＳＳ間で互いの電波到達範囲外となるＢＳＳを同一グループとし、異なるグループ間でアップリンクのマルチユーザ伝送を行うチャネルアクセスのタイミングをずらす制御を行う無線制御装置を備える。【選択図】  図２
2020036103.tif 000002
【特許請求の範囲】
【請求項１】
１つ無線ＬＡＮ基地局とそれに帰属する複数の無線ＬＡＮ端末から構成されるＢＳＳを単位として、同一チャネルを利用する複数のＢＳＳがそれぞれアップリンクのマルチユーザ伝送を行う無線ＬＡＮシステムにおいて、
前記複数のＢＳＳの無線ＬＡＮ基地局および無線ＬＡＮ端末に接続され、それぞれの電波の干渉状態を示す無線情報を収集し、その無線情報を応じて、前記同一チャネルを利用するＢＳＳ間で互いの電波到達範囲外となるＢＳＳを同一グループとし、異なるグループ間でアップリンクのマルチユーザ伝送を行うチャネルアクセスのタイミングをずらす制御を行う無線制御装置を備えた
ことを特徴とする無線ＬＡＮシステム。
【請求項２】
請求項１に記載の無線ＬＡＮシステムにおいて、
前記無線制御装置は、前記無線情報に基づき、前記ＢＳＳ間の無線ＬＡＮ基地局および無線ＬＡＮ端末からの受信電力が所定のレベル以下の組合せのうち、最小のグループ数となる組合せを選択するグルーピング処理を行う構成である
ことを特徴とする無線ＬＡＮシステム。
【請求項３】
請求項２に記載の無線ＬＡＮシステムにおいて、
前記無線制御装置は、前記受信電力が小さいＢＳＳ同士を順次グルーピングしていく階層クラスター分析手法を用いたグルーピング計算を行う構成である
ことを特徴とする無線ＬＡＮシステム。
【請求項４】
請求項２に記載の無線ＬＡＮシステムにおいて、
前記無線制御装置は、最初のグループを形成したＢＳＳに対して、そのグループ全体の電波到達範囲外のＢＳＳをランダムに選出してグループに所属させるランダムグルーピング手法を用いたグルーピング計算を行う構成である
ことを特徴とする無線ＬＡＮシステム。
【請求項５】
請求項１に記載の無線ＬＡＮシステムにおいて、
前記無線制御装置は、グループｎ（ｎは１〜Ｎ、Ｎはグループ数）に対して順番に、所定の時間ごとにチャネルアクセスのタイミングを割り当てる構成である
ことを特徴とする無線ＬＡＮシステム。
【請求項６】
請求項５に記載の無線ＬＡＮシステムにおいて、
前記無線制御装置は、グループｎ（ｎは１〜Ｎ、Ｎはグループ数）に対して順番に、所定の時間ごとにチャネルアクセスのタイミングを割り当てるとともに、それ以外のグループに対してＮＡＶを設定する
ことを特徴とする無線ＬＡＮシステム。
【請求項７】
請求項１に記載の無線ＬＡＮシステムにおいて、
前記無線制御装置は、前記各グループの無線ＬＡＮ基地局からの問い合わせに対して  チャネルアクセスが可能か否かを通知する構成である
ことを特徴とする無線ＬＡＮシステム。
【請求項８】
１つ無線ＬＡＮ基地局とそれに帰属する複数の無線ＬＡＮ端末から構成されるＢＳＳを単位として、同一チャネルを利用する複数のＢＳＳがそれぞれアップリンクのマルチユーザ伝送を行う無線ＬＡＮシステムのアップリンク制御方法において、
前記複数のＢＳＳの無線ＬＡＮ基地局および無線ＬＡＮ端末に接続される無線制御装置で、それぞれの電波の干渉状態を示す無線情報を収集し、その無線情報を応じて、前記同一チャネルを利用するＢＳＳ間で互いの電波到達範囲外となるＢＳＳを同一グループとし、異なるグループ間でアップリンクのマルチユーザ伝送を行うチャネルアクセスのタイミングをずらす制御を行う
ことを特徴とする無線ＬＡＮシステムのアップリンク制御方法。
【請求項９】
１つ無線ＬＡＮ基地局とそれに帰属する複数の無線ＬＡＮ端末から構成されるＢＳＳを単位として、同一チャネルを利用する複数のＢＳＳがそれぞれアップリンクのマルチユーザ伝送を行う無線ＬＡＮシステムの無線制御装置において、
前記複数のＢＳＳの無線ＬＡＮ基地局および無線ＬＡＮ端末に接続され、それぞれの電波の干渉状態を示す無線情報を収集し、その無線情報を応じて、前記同一チャネルを利用するＢＳＳ間で互いの電波到達範囲外となるＢＳＳを同一グループとし、異なるグループ間でアップリンクのマルチユーザ伝送を行うチャネルアクセスのタイミングをずらす制御を行う構成である
ことを特徴とする無線ＬＡＮシステムの無線制御装置。
【発明の詳細な説明】
【技術分野】
【０００１】
本発明は、同一チャネルを利用する無線ＬＡＮ基地局（ＡＰ）の高密度環境において、各ＡＰがマルチユーザ伝送の制御に用いる制御フレーム（トリガーフレームやＭＵ−ＲＴＳ）の衝突を防ぎ、通信効率を高める無線ＬＡＮ通信システム、アップリンク制御方法および無線制御装置に関する。
【背景技術】
【０００２】
５Ｇ時代のマルチアクセス環境では、モバイル回線と連携して無線ＬＡＮ基地局（ＡＰ）を制御することによって、ＡＰの高密度環境においてもシステム容量を増大させるモバイル連携無線ＬＡＮシステムが検討されている。
【０００３】
モバイル連携無線ＬＡＮシステムは、無線制御装置と、無線ＬＡＮ基地局（ＡＰ) と、無線ＬＡＮ端末（ＳＴＡ）から構成され、マルチバンド・マルチアクセス環境で運用される。無線制御装置は、システム内ネットワークのＡＰと接続し、情報収集や制御を行う。また、ＳＴＡは、ＡＰと無線ＬＡＮにより接続されており、無線環境情報を内部ネットワークまたはセル網を通じて無線制御装置に送信する。このようなモバイル連携無線ＬＡＮシステムの一例として、特許文献１では収集した無線環境情報をもとに、無線制御装置でＡＰ同士のさらされ度合いの推定を行っている。ＡＰ同士のさらされ度合いを算出することにより、各ＡＰの送信電力制御や受信電力閾値制御を無線環境に合わせて適切に行うことができ、通信容量の増大が可能になっている。
【０００４】
また、ＩＥＥＥ８０２．１１ａｃ（以下、１１ａｃ）をさらに高速化させた次世代無線ＬＡＮ規格として、ＩＥＥＥ８０２．１１ａｘ（以下、１１ａｘ）が提唱されている。１１ａｘは、無線環境の混雑による通信速度の低下や通信機会の減少などを回避すべく、新たな干渉回避技術や周波数選択技術が導入されている。その中の一つとして、ユーザ毎の平均スループットを向上させて、多数のユーザが接続したときも、それぞれのユーザが通信速度を維持できるマルチユーザ伝送技術が挙げられる。１１ａｃでは、下り方向のマルチユーザＭＩＭＯ（ＭＵ−ＭＩＭＯ）の導入により下り方向の通信効率が向上している。１１ａｘでは、さらに上り方向と下り方向のＭＵ−ＭＩＭＯやＯＦＤＭＡ(Orthogonal Frequency Division Multiple Access) の実装が検討されており、さらなる通信効率の向上が期待されている。
【０００５】
このように、モバイル連携無線ＬＡＮシステムにおいても、次世代無線ＬＡＮ規格である１１ａｘに対応した無線ＬＡＮ制御によるさらなる通信の効率化が求められている。
【先行技術文献】
【特許文献】
【０００６】
【特許文献１】特許６１６２２７８号公報
【発明の概要】
【発明が解決しようとする課題】
【０００７】
無線ＬＡＮが普及することにより、無線ＬＡＮ基地局（ＡＰ）の高密度環境が頻繁に発生し、その影響により通信効率が低下する無線ＬＡＮ端末（ＳＴＡ）が発生する。特許文献１では、システム内の無線情報をＡＰ経由やセルラ回線経由で取得し、さらし環境を推定して各ＡＰのパラメータを最適に設定することで各ＳＴＡの通信効率を向上させている。図１４は、同一チャネルのＡＰの電波到達範囲が重ならないように、ＡＰの送信電力および受信電力閾値が調整される様子を示す。円の中心はＡＰを示す。
【０００８】
ＡＰの高密度化が進行すると、ＡＰのパラメータ設定範囲も限られているため、図１５に示すように隣接するＡＰの電波到達範囲がオーバーラップする電波干渉地帯が発生し、通信効率の停滞や低下する恐れがある。また、１１ａｘにおけるマルチユーザ（ＭＵ）伝送の特徴の一つであるＭＵ−ＯＦＤＭＡで使用される制御フレーム（トリガーフレームやＭＵ−ＲＴＳなど）は、ＡＰの高密度化によって同一チャネル間で衝突や干渉が発生するため、ＭＵ−ＯＦＤＭＡの通信効率が上がらない恐れもある。
【０００９】
図１６は、トリガーフレーム衝突の原理を示す。
図１６において、ＡＰ１とＡＰ２は同一チャネルを利用する無線ＬＡＮ基地局である。各ＡＰの周りの円形の範囲は電波到達範囲となる。その電波到達範囲が重なるところが電波干渉地帯となる。また、ＳＴＡ＃１とＳＴＡ＃２はＡＰ１に帰属する端末である。ここで、ＡＰ１とＡＰ２は、互いの電波到達範囲外にあって隠れ端末の関係にあり、ＳＴＡ＃１が受信時さらされ状態を想定している。この状態でＡＰ１とＡＰ２がＭＵ伝送を行うために、トリガーフレーム（ＴＲＧ）をそれぞれ帰属する端末に向けて送信すると、ＳＴＡ＃１においてＡＰ１のトリガーフレームとＡＰ２のトリガーフレームとの衝突が発生する。そうなるとＳＴＡ＃１ではＡＰ１のトリガーフレームを受信できず、上りデータフレームを送信できなくなる。
【００１０】
このように、１１ａｘ対応ＡＰの高密度環境が発生すると、トリガーフレームやＭＵ−ＲＴＳが衝突してしまい、送受信できない端末の増加や、周波数利用効率が低下する問題が発生する。
【００１１】
図１７は、１１ａｘにおけるアップリンク（ＵＬ）−ＯＦＤＭＡシーケンスを示す。
図１７において、ＡＰ１から、帰属するＳＴＡ＃１〜ＳＴＡ＃３に対してトリガーフレームを送信し、端末側の送信タイミングや使用する周波数帯を通知する。それぞれの端末は、受信したトリガーフレームの情報をもとにデータフレームを送信することでＭＵ伝送を実現する。しかし、図１６に示すように、同一チャネルのＡＰの高密度環境では、受信さらされ状態となる端末でトリガーフレームの衝突が発生すると、端末はデータを送信することができない。したがって、同一チャネルのＡＰの高密度環境において上り方向の伝送効率を高めるためには、制御フレーム（トリガーフレームやデータフレーム）の衝突を防ぐ必要がある。
【００１２】
本発明は、同一チャネルを利用する無線ＬＡＮ基地局（ＡＰ）の高密度環境において、各ＡＰがＭＵ伝送の制御に用いる制御フレームの衝突を防ぎ、通信効率を高めることができる無線ＬＡＮ通信システム、アップリンク制御方法および無線制御装置を提供することを目的とする。
【課題を解決するための手段】
【００１３】
第１の発明は、１つ無線ＬＡＮ基地局とそれに帰属する複数の無線ＬＡＮ端末から構成されるＢＳＳを単位として、同一チャネルを利用する複数のＢＳＳがそれぞれアップリンクのマルチユーザ伝送を行う無線ＬＡＮシステムにおいて、複数のＢＳＳの無線ＬＡＮ基地局および無線ＬＡＮ端末に接続され、それぞれの電波の干渉状態を示す無線情報を収集し、その無線情報を応じて、同一チャネルを利用するＢＳＳ間で互いの電波到達範囲外となるＢＳＳを同一グループとし、異なるグループ間でアップリンクのマルチユーザ伝送を行うチャネルアクセスのタイミングをずらす制御を行う無線制御装置を備える。
【００１４】
第１の発明の無線ＬＡＮシステムにおいて、無線制御装置は、無線情報に基づき、ＢＳＳ間の無線ＬＡＮ基地局および無線ＬＡＮ端末からの受信電力が所定のレベル以下の組合せのうち、最小のグループ数となる組合せを選択するグルーピング処理を行う構成である。
【００１５】
第１の発明の無線ＬＡＮシステムにおいて、無線制御装置は、受信電力が小さいＢＳＳ同士を順次グルーピングしていく階層クラスター分析手法を用いたグルーピング計算を行う構成である。
【００１６】
第１の発明の無線ＬＡＮシステムにおいて、無線制御装置は、最初のグループを形成したＢＳＳに対して、そのグループ全体の電波到達範囲外のＢＳＳをランダムに選出してグループに所属させるランダムグルーピング手法を用いたグルーピング計算を行う構成である。
【００１７】
第１の発明の無線ＬＡＮシステムにおいて、無線制御装置は、グループｎ（ｎは１〜Ｎ、Ｎはグループ数）に対して順番に、所定の時間ごとにチャネルアクセスのタイミングを割り当てる構成である。
【００１８】
第１の発明の無線ＬＡＮシステムにおいて、無線制御装置は、グループｎ（ｎは１〜Ｎ、Ｎはグループ数）に対して順番に、所定の時間ごとにチャネルアクセスのタイミングを割り当てるとともに、それ以外のグループに対してＮＡＶを設定する。
【００１９】
第１の発明の無線ＬＡＮシステムにおいて、無線制御装置は、各グループの無線ＬＡＮ基地局からの問い合わせに対して  チャネルアクセスが可能か否かを通知する構成である。
【００２０】
第２の発明は、１つ無線ＬＡＮ基地局とそれに帰属する複数の無線ＬＡＮ端末から構成されるＢＳＳを単位として、同一チャネルを利用する複数のＢＳＳがそれぞれアップリンクのマルチユーザ伝送を行う無線ＬＡＮシステムのアップリンク制御方法において、複数のＢＳＳの無線ＬＡＮ基地局および無線ＬＡＮ端末に接続される無線制御装置で、それぞれの電波の干渉状態を示す無線情報を収集し、その無線情報を応じて、同一チャネルを利用するＢＳＳ間で互いの電波到達範囲外となるＢＳＳを同一グループとし、異なるグループ間でアップリンクのマルチユーザ伝送を行うチャネルアクセスのタイミングをずらす制御を行う。
【００２１】
第３の発明は、１つ無線ＬＡＮ基地局とそれに帰属する複数の無線ＬＡＮ端末から構成されるＢＳＳを単位として、同一チャネルを利用する複数のＢＳＳがそれぞれアップリンクのマルチユーザ伝送を行う無線ＬＡＮシステムの無線制御装置において、複数のＢＳＳの無線ＬＡＮ基地局および無線ＬＡＮ端末に接続され、それぞれの電波の干渉状態を示す無線情報を収集し、その無線情報を応じて、同一チャネルを利用するＢＳＳ間で互いの電波到達範囲外となるＢＳＳを同一グループとし、異なるグループ間でアップリンクのマルチユーザ伝送を行うチャネルアクセスのタイミングをずらす制御を行う構成である。
【発明の効果】
【００２２】
本発明は、同一チャネルを利用する無線ＬＡＮ基地局の高密度環境において、同一チャネルを利用するＢＳＳ間で互いの電波到達範囲外となるＢＳＳを同一グループとし、異なるグループ間でアップリンクのＭＵ伝送を行うチャネルアクセスのタイミングをずらすことにより、ＭＵ伝送の制御に用いる制御フレームの衝突を防ぎ、通信効率を高めることができる。
【図面の簡単な説明】
【００２３】
【図１】ＡＰのグルーピング例を示す図である。
【図２】異なるグループ間のＵＬ−ＭＵ伝送のタイミング制御例を示す図である。
【図３】本発明におけるネットワーク構成例を示す図である。
【図４】無線制御装置１０の構成例を示す図である。
【図５】ＡＰ２０の構成例を示す図である。
【図６】ＳＴＡ３０の構成例を示す図である。
【図７】本発明の無線ＬＡＮシステムにおける全体処理手順を示すフローチャートである。
【図８】階層クラスター分析手法を用いたグルーピング計算（Ｓ３）の処理手順例を示すフローチャートである。
【図９】干渉リストの作成例を示す図である。
【図１０】階層クラスター分析手法を用いたグルーピング例を示す図である。
【図１１】ＡＰランダムグルーピング手法を用いたグルーピング計算（Ｓ３）の処理手順例を示すフローチャートである。
【図１２】スケジューリング計算（Ｓ４）の処理手順例を示すフローチャートである。
【図１３】ＡＰの処理手順例を示すフローチャートである。
【図１４】ＡＰ通常時の電波到達範囲の制御例を示す図である。
【図１５】ＡＰ高密度環境における電波到達範囲の制御例を示す図である。
【図１６】トリガーフレーム衝突の原理を説明する図である。
【図１７】１１ａｘにおけるＵＬ−ＯＦＤＭＡシーケンスを示す図である。
【発明を実施するための形態】
【００２４】
本発明の特徴は、各ＡＰとそれぞれに帰属している複数のＳＴＡから構成されるＢＳＳを単位として、同一チャネルを利用しているＢＳＳ間で互いに電波到達範囲外のＢＳＳ同士を同一グループとするグルーピングを行い、異なるグループ間で、アップリンクのマルチユーザ伝送（ＵＬ−ＭＵ伝送）のタイミングを分離する。すなわち、異なるグループのＡＰがＵＬ−ＭＵ伝送における制御フレーム（トリガーフレームやＭＵ−ＲＴＳ）の送信タイミングをずらすことにより、制御フレームの衝突を防いで伝送効率を向上させる。
【００２５】
図１は、無線ＬＡＮ基地局（ＡＰ）のグルーピング例を示す。
図１において、ＡＰ１〜ＡＰ９の無線ＬＡＮ基地局と、それぞれの電波到達範囲を円で示す。ここでは、隣接するＡＰの電波到達範囲の一部がオーバーラップして電波干渉地帯となる。よって、１つ離れたＡＰ同士、例えばＡＰ１，ＡＰ３，ＡＰ５，ＡＰ７，ＡＰ９は、それぞれ電波到達範囲外のＢＳＳ同士であるため同一グループとする。同様に、ＡＰ２，ＡＰ４，ＡＰ６，ＡＰ８もそれぞれ電波到達範囲外のＢＳＳ同士であるため同一グループとする。
【００２６】
図２は、異なるグループ間のＵＬ−ＭＵ伝送のタイミング制御例を示す。
図２において、ＡＰ１〜ＡＰ３は同一チャネルを利用する無線ＬＡＮ基地局であり、ＳＴＡ＃１とＳＴＡ＃２はＡＰ１に帰属する無線ＬＡＮ端末である。ＡＰ１〜ＡＰ３は、互いの電波到達範囲外にあって隠れ端末の関係にあり、ＳＴＡ＃１が受信時さらされ状態を想定している。この状態でＡＰ１〜ＡＰ３がＭＵ伝送を行うために、本発明ではＡＰ１とＡＰ３をグループ１、ＡＰ２をグループ２とし、それぞれのグループに対してラウンドロビンにより順番にチャネルアクセスを許可する。例えば、グループ１がチャネルアクセス可能な時間帯には、グループ１に属するすべての無線ＬＡＮ基地局（ここではＡＰ１，ＡＰ３）がチャネルアクセス可能となる。ＡＰ１がトリガーフレームを帰属するＳＴＡ＃１，ＳＴＡ＃２に向けて送信するとき、ＡＰ３が送信するトリガーフレームは電波到達範囲外であり、ＡＰ２はトリガーフレームの送信を行わないので衝突することはない。グループ２がチャネルアクセス可能な時間帯には、グループ２に属するすべての無線ＬＡＮ基地局（ここではＡＰ２）がチャネルアクセス可能となる。
【００２７】
以下、モバイル連携無線ＬＡＮシステムにおいて、本発明に対応する無線制御装置、ＡＰ、ＳＴＡのネットワーク構成例およびそれぞれの装置構成例を示す。
【００２８】
図３は、本発明におけるネットワーク構成例を示す。
図３において、ＡＰ２０とＳＴＡ３０は無線ＬＡＮで接続される。ＡＰ２０と無線制御装置１０は有線ケーブルで接続される。ＳＴＡ３０と無線制御装置１０は、ＡＰ２０を介して接続されるとともに、モバイル回線およびインターネットを介して接続される。無線制御装置１０には、ＡＰ２０における周辺ＡＰ情報（ＲＳＳＩ）が収集されるとともに、ＳＴＡ３０における周辺ＡＰ情報（ＲＳＳＩ）および周辺ＳＴＡ情報（ＲＳＳＩ）がＡＰ２０またはモバイル回線を介して収集される。
【００２９】
図４は、無線制御装置１０の構成例を示す。
図４において、無線制御装置１０は、ＡＰ制御部１１、無線情報収集部１２、無線情報データベース部１３、接続Ｉ／Ｆ部１４により構成される。ＡＰ制御部１１は、グルーピング計算部１１１およびスケジューリング計算部１１２を含む。接続Ｉ／Ｆ部１４は、各ＡＰとの接続やインターネットを介して各ＳＴＡとの接続を行う。
【００３０】
無線情報収集部１２は、ＡＰ２０とＳＴＡ３０に対してポーリングを行い、無線情報を取得して無線情報データベース部１３へ格納する。収集する無線情報は、ＡＰ２０からは帰属ＳＴＡ情報や周辺ＡＰ情報（ＲＳＳＩ）、ＳＴＡ３０からは帰属先ＡＰ情報や周辺ＡＰ情報（ＲＳＳＩ）や周辺ＳＴＡ情報（ＲＳＳＩ）などである。ＡＰ制御部１１のグルーピング計算部１１１は、無線情報データベース部１３から収集した無線情報を取り出し、グルーピングの計算を行い、結果を無線情報データベース部１３へ格納する。なお、グルーピングの計算例として、階層クラスター分析手法を用いたグルーピングと、ＡＰランダムグルーピングの各方法について図８〜図１１を参照して別途説明する。スケジューリング計算部１１２は、無線情報データベース部１３からグルーピングの結果を取得し、スケジューリングの計算を行う。具体的には、図１２を参照して別途説明する。ＡＰ制御部１１は、グルーピングやスケジューリングの計算結果をＡＰ２０へ通知し設定する。
【００３１】
図５は、ＡＰ２０の構成例を示す。
図５において、ＡＰ２０は、制御部２１、接続Ｉ／Ｆ部２２、アンテナ２３、無線処理部２４により構成される。制御部２１は、無線情報取得部２１１および無線情報通知部２１２を含む。制御部２１の無線情報取得部２１１は、他のＡＰや帰属ＳＴＡからの無線情報を収集する。無線情報通知部２１２は、取得した無線情報を無線制御装置１０へ送信する。制御部２１では、無線制御装置１０から制御パラメータ（チャネルアクセスのスケジュール等）を受信し、チャネルアクセスの制御を行う。
【００３２】
図６は、ＳＴＡ３０の構成例を示す。
図６において、ＳＴＡ３０は、制御部３１、アンテナ３２，３３、無線処理部３４により構成される。制御部３１は、無線情報取得部３１１および無線情報通知部３１２を含む。制御部３１の無線情報取得部３１１は、他のＡＰや帰属ＳＴＡからの無線情報を収集する。無線情報通知部３１２は、取得した無線情報を無線制御装置１０へ送信する。
【００３３】
図７は、本発明の無線ＬＡＮシステムにおける全体処理手順を示す。
図７において、まず、ＵＬ−ＭＵ伝送制御の有無を無線制御装置１０に設定する（Ｓ１）。ＵＬ−ＭＵ伝送制御を行う場合は、無線情報収集（Ｓ２）、グルーピング計算（Ｓ３）、スケジューリング計算（Ｓ４）の順で処理を行う。ＵＬ−ＭＵ伝送制御を停止させる場合は、無線制御装置１０での制御をオフにすることで（Ｓ５，No）、スケジューリング計算部１１２での処理が停止し、全体の処理が終了する。
【００３４】
無線情報収集（Ｓ２）は、無線制御装置１０の無線情報収集部１２がＡＰ２０とＳＴＡ３０に対してポーリングを行い、無線情報を取得して無線情報データベース部１３へ格納する。
【００３５】
図８は、階層クラスター分析手法を用いたグルーピング計算（Ｓ３）の処理手順例を示す。
図８において、無線制御装置１０のＡＰ制御部１１のグルーピング計算部１１１は、無線情報データベース部１３から収集した無線情報を取り出し、干渉リストを作成する（Ｓ31）。次に、階層クラスター分析手法を用いてＡＰをグルーピングする（Ｓ32）。
【００３６】
図９は、干渉リストの作成例を示す。
図９(1) の干渉リストは、各ＡＰから収集した周辺ＡＰ情報（ＲＳＳＩ）を元に作成する例である。図９(2) の干渉リストは、各ＳＴＡから収集した周辺ＡＰ情報（ＲＳＳＩ）のうち、ＡＰに帰属するＳＴＡからの周辺ＡＰ情報（ＲＳＳＩ）で最大のものをＡＰm とＡＰn の干渉とする例である。図９(3) の干渉リストは、各ＳＴＡから収集した周辺ＳＴＡ情報（ＲＳＳＩ）のうち、ＡＰに帰属するＳＴＡからの周辺ＳＴＡ情報（ＲＳＳＩ）で最大のものをＡＰm とＡＰn の干渉とする例である。この例(2),(3) の干渉リストから、例(1) の干渉リストを作成してもよい。
【００３７】
図１０は、階層クラスター分析手法を用いたグルーピング例を示す。
図１０において、ＡＰ１〜ＡＰ５間の干渉リストを元に、ＲＳＳＩ値が小さいＡＰ同士を順次グルーピングしていく。まず、ＡＰ１とＡＰ２をクラスター（ＣＬ）１とする。
【００３８】
次に、ＣＬ１と他のＡＰとの距離（ＲＳＳＩ）を計算する。ＣＬ１とＡＰ３の距離は、ＣＬ１を構成するＡＰ１，ＡＰ２とＡＰ３との距離の最大値とし、ここではＡＰ２とＡＰ３の距離（ＲＳＳＩ＝−18.18)が最大となるので、ＣＬ１とＡＰ３の距離は−18.18 となる。同様に、ＣＬ１とＡＰ４の距離は−12.61 となり、ＣＬ１とＡＰ５の距離は−12.35 となる。ＡＰ３，ＡＰ４，ＡＰ５間の距離はそのままである。このなかで、距離が最小のもの同士をグルーピングすると、ＣＬ１とＡＰ３との距離−18.18 が最小になるので、ＣＬ１とＡＰ３をＣＬ２とする。
【００３９】
次に、ＣＬ２と他のＡＰとの距離を計算すると、ＣＬ２とＡＰ４の距離は−12.61 となり、ＣＬ１とＡＰ５の距離は−12.35 となり、ＡＰ４，ＡＰ５間の距離は−13.30 である。このなかで、距離が最小のもの同士をグルーピングすると、ＡＰ４とＡＰ５との距離−13.30 が最小になるので、ＡＰ４とＡＰ５をＣＬ３とする。
【００４０】
次に、ＣＬ３と他のＡＰ（ＣＬ）との距離を計算する。ＣＬ３を構成するＡＰ４，ＡＰ５と、ＣＬ２を構成するＡＰ１，ＡＰ２，ＡＰ３とのそれぞれの距離の最大値を計算すると、ＡＰ５とＡＰ１との距離−12.35 となり、これがＣＬ３とＣＬ２の距離になる。
【００４１】
次に、クラスター間の距離（ＲＳＳＩ値）とＲＳＳＩ閾値との比較により、グルーピングを行う。図１０の場合は、ＣＬ２とＣＬ３との間にＲＳＳＩ閾値があるので、ＣＬ２（ＡＰ１，ＡＰ２，ＡＰ３）、ＡＰ４、ＡＰ５の３つのグループとなる。
【００４２】
図１１は、ＡＰランダムグルーピング手法を用いたグルーピング計算（Ｓ３）の処理手順例を示す。
ＡＰランダムグルーピング手法では、対象のグループ内のすべてのＡＰと、ランダムに抽出した対象のグループ外の１つのＡＰが電波到達範囲外か否かを判別し、グループに追加するか否かを実行する。ここで、ｎはグループ番号、ｍはＡＰ番号とし、Group(n)はグループ番号ｎを構成するＡＰ群とする。
【００４３】
(1) まず全てのＡＰはグループに所属していないものとして処理を開始する。
(2) 最初のグループを作成し、その中にランダムに選んだＡＰを所属させる。
(3) そのグループ全体の電波到達範囲外のＡＰをランダムに選出し、グループに所属させる。
(4) 電波到達範囲外のＡＰがなくなるまで、(3) を繰り返し実施する。
(5) (2) に戻り、次のグループを作成する。グループに所属していないＡＰがなくなった場合は処理を停止する。
【００４４】
図１２は、スケジューリング計算（Ｓ４）の処理手順例を示す。
図１２において、スケジューリング計算が開始されると、まずＵＬ−ＭＵ伝送に用いるトリガーフレーム制御の有無を確認する（Ｓ41）。制御を行わない場合は、全グループのチャネルアクセスを可能にし（Ｓ42）、処理を終了する。処理を行う場合は（Ｓ41−Yes ）、グループ（ｎ）（ｎは１〜Ｎ、Ｎはグループ数）をチャネルアクセス可能グループへ登録し（Ｓ43，Ｓ44）、順番にｔ[msec]をチャネルアクセス時間として割り当てる（Ｓ45）。グループ番号ｎをインクリメントし（Ｓ46）、ステップＳ41に戻る。グループ（Ｎ）の次はグループ（１）に戻る（Ｓ47）。この処理を、ＵＬ−ＭＵ伝送のトリガーフレーム制御なしと設定するまで実施する。
【００４５】
なお、Ｓ44の処理に代えて、グループｎ以外に所属するすべてのＡＰに対してＲＴＳ／ＣＴＳを送信し、送信可能グループ以外の端末にＮＡＶを設定してもよい。
【００４６】
図１３は、ＡＰの処理手順例を示す。
図１３において、ＡＰはバックオフ時間経過後、チャネルアクセス情報定期取得タイマがタイムアウトするまで（Ｓ51−No）、所属しているグループのチャネルアクセスが可能であれば（Ｓ52−Yes ）、トリガーフレームを送信する（Ｓ53）。チャネルアクセス情報定期取得タイマがタイムアウトすると（Ｓ51−Yes ）、無線制御装置１０へチャネルアクセス可能グループを問い合わせる（Ｓ54）。ここで、所属しているグループのチャネルアクセスが可能であれば（Ｓ52−Yes ）、トリガーフレームを送信する（Ｓ53）。所属しているグループが現在のチャネルアクセス可能グループでない場合、所属しているグループがチャネルアクセス可能になる送信を待機する。
【符号の説明】
【００４７】
１０  無線制御装置
１１  ＡＰ制御部
１１１  グルーピング計算部
１１２  スケジューリング計算部
１２  無線情報収集部
１３  無線情報データベース部
１４  接続Ｉ／Ｆ部
２０  無線ＬＡＮ基地局（ＡＰ）
２１  制御部
２１１  無線情報取得部
２１２  無線情報通知部２１２
２２  接続Ｉ／Ｆ部
２３  アンテナ
２４  無線処理部
３０  無線ＬＡＮ端末（ＳＴＡ）
３１  制御部
３１１  無線情報取得部
３１２  無線情報通知部
３２，３３  アンテナ
３４  無線処理部
【図１】
2020036103.tif 000003
【図２】
2020036103.tif 000004
【図３】
2020036103.tif 000005
【図４】
2020036103.tif 000006
【図５】
2020036103.tif 000007
【図６】
2020036103.tif 000008
【図７】
2020036103.tif 000009
【図８】
2020036103.tif 000010
【図９】
2020036103.tif 000011
【図１０】
2020036103.tif 000012
【図１１】
2020036103.tif 000013
【図１２】
2020036103.tif 000014
【図１３】
2020036103.tif 000015
【図１４】
2020036103.tif 000016
【図１５】
2020036103.tif 000017
【図１６】
2020036103.tif 000018
【図１７】
2020036103.tif 000019